(57)【要約】      （修正有）【課題】衛生化システムのランプと電気連結器との間の信頼できる接続を維持するためのシステム及び方法を提供する。【解決手段】紫外線（UV）ランプを電気連結器に接続するためのシステムが、UVランプに結合されたブレードアタッチメント、及びブレードアタッチメントの少なくとも一部分に固定された導電層を含む。少なくとも１つの実施形態では、導電層が、ブレードアタッチメントの少なくとも一部分の周りに巻かれたフォイル（foil）を含む。少なくとも１つの実施形態では、機械的拘束デバイスが、ブレードアタッチメントを電気連結器に固定するように構成される。【選択図】なし【特許請求の範囲】
【請求項１】
紫外線（UV）ランプ（１４０）を電気連結器（２６０）に接続するためのシステムであって、
前記UVランプ（１４０）に結合されたブレードアタッチメント（２００）、及び
前記ブレードアタッチメント（２００）の少なくとも一部分に固定された導電層（２１４）を備える、システム。
【請求項２】
前記導電層（２１４）は、前記ブレードアタッチメント（２００）の前記少なくとも一部分の周りに巻かれたフォイル（２１４）を含む、請求項１に記載のシステム。
【請求項３】
前記ブレードアタッチメント（２００）を前記電気連結器（２６０）に固定するように構成された機械的拘束デバイスを更に備える、請求項１又は２に記載のシステム。
【請求項４】
前記機械的拘束デバイスは、前記ブレードアタッチメント（２００）の前記一部分又は前記導電層（２１４）の少なくとも一部分のうちの一方又は両方の周りに巻かれたテープ（２１２）を含む、請求項３に記載のシステム。
【請求項５】
前記機械的拘束デバイスは、前記ブレードアタッチメント（２００）の前記一部分又は前記導電層（２１４）の少なくとも一部分のうちの一方又は両方の周りに固定されたクランプ（２１２）を含む、請求項３又は４に記載のシステム。
【請求項６】
前記クランプ（２１２）は、プラスチックから形成される、請求項５に記載のシステム。
【請求項７】
前記機械的拘束デバイスは、
前記ブレードアタッチメント（２００）の前記一部分又は前記導電層（２１４）の少なくとも一部分のうちの一方又は両方の周りに巻かれたテープ（２１２）、及び
前記ブレードアタッチメント（２００）の前記一部分又は前記導電層（２１４）の少なくとも一部分のうちの一方又は両方の周りに固定されたクランプ（２１２）を含む、請求項３から５のいずれか一項に記載のシステム。
【請求項８】
前記導電層（２１４）は、銅から形成される、請求項１から７のいずれか一項に記載のシステム。
【請求項９】
前記UVランプ（１４０）は、２２２nmの波長を有する衛生化UV光を発するように構成される、請求項１から８のいずれか一項に記載のシステム。
【請求項１０】
前記UVランプ（１４０）を含む、携帯可能な衛生化システムを更に備える、請求項１から９のいずれか一項に記載のシステム。
【発明の詳細な説明】
【技術分野】
【０００１】
本開示の実施形態は、広くは、民間航空機などの輸送体内の構造物及びエリアを衛生的にするためなどに使用され得る衛生化システムに関し、特に、衛生化システムの紫外線ランプに対する電気接触を維持するためのシステム及び方法に関する。
【背景技術】
【０００２】
民間航空機などの輸送体は、様々な場所の間で旅客を輸送するために使用される。例えば、紫外線（UV）光を使用する、航空機内の表面を殺菌又はさもなければ衛生的にするためのシステム（衛生化システム）が、現在開発中である。
【０００３】
構造物の表面を衛生化するために、知られているUV光殺菌方法は、構造物上に広域スペクトルUVC光を発する。しかし、UVC光は、典型的には、様々な微生物を殺すためにかなり長い時間量（例えば、３分）を必要とする。更に、様々な微生物は、UVC光に脆弱ではないかもしれない。すなわち、そのような微生物は、UVC光への曝露に耐え得る
【０００４】
また、特定の種類の微生物は、UVC光に対する抵抗性を発達させ得る。例えば、UVC光は、最初は、ある時間にわたりUVC光に継続的に曝露することによって、特定の種類の微生物を殺すことができるが、その個別種の微生物は、UVC光に対する抵抗性を発達させ、UVC光への曝露に耐え得る可能性がある。
【０００５】
更に、特定の種類のUV光を直接的に曝露することは、人間にとって危険であり得る。例えば、特定の知られているUVシステムは、２５４nmの波長を有するUV光を発し、それは、人間にとって危険であり得る。したがって、特定の知られているUV光殺菌システム及び方法は、個々人が存在していないときに動作される。例えば、化粧室内のUV光殺菌システムは、化粧室内に個々人が存在してないときに動作されてよく、個人が化粧室内に存在しているときに起動解除される。
【０００６】
更に、特定のUV光衛生化システムは、エキシマーランプ（excimer lamp）を含む。エキシマーランプへの電気接続は、生成される熱により、信頼できない場合がある。例えば、２２２nmのUVランプは、電気ブレード（electrical braid）をランプに取り付ける低温はんだ接合部を有し得る。それは、UVランプの高い動作温度で接続が不良になることをもたらし得る。生成された熱は、ブレードアタッチメント（braid attachment）内の格子線を壊し得る。更に、ブレードアタッチメントにわたり配置されるテープもまた、テープが取り外されるときに、不注意で格子線を引き剥がす恐れがある。更に、結果として生じ得るアーク放電が、隣接する格子線に悪影響を与え得る。それは、ランプが電気連結器（electrical coupling）から切断されることをもたらし得る。
【発明の概要】
【０００７】
衛生化システムのランプと電気連結器との間の信頼できる接続を維持するためのシステム及び方法が必要とされている。
【０００８】
その必要性に鑑みると、本開示の特定の実施形態は、紫外線（UV）ランプを電気連結器に接続するためのシステムを提供する。該システムは、UVランプに結合されたブレードアタッチメント、及びブレードアタッチメントの少なくとも一部分に固定された導電層を含む。導電層は、銅から形成されてよい。
【０００９】
少なくとも１つの実施形態では、導電層が、ブレードアタッチメントの少なくとも一部分の周りに巻かれたフォイル（foil）を含む。
【００１０】
少なくとも１つの実施形態では、該システムが、ブレードアタッチメントを電気連結器に固定するように構成された機械的拘束デバイスを含む。例えば、機械的拘束デバイスは、ブレードアタッチメントの一部分又は導電層の少なくとも一部分のうちの一方又は両方の周りに巻かれたテープを含む。別の一実施例として、機械的拘束デバイスは、ブレードアタッチメントの一部分又は導電層の少なくとも一部分のうちの一方又は両方の周りに固定されたクランプ（プラスチックから形成され得るなど）を含む。別の一実施例として、機械的拘束デバイスは、ブレードアタッチメントの一部分又は導電層の少なくとも一部分のうちの一方又は両方の周りに巻かれたテープ、及びブレードアタッチメントの一部分又は導電層の少なくとも一部分のうちの一方又は両方の周りに固定されたクランプを含む。
【００１１】
UVランプは、２２２nmの波長を有する衛生化UV光を発するように構成され得る。該システムは、UVランプを含む携帯可能な衛生化システムを含み得る。
【００１２】
本開示の特定の実施形態は、紫外線（UV）ランプを電気連結器に接続するための方法を提供する。該方法は、ブレードアタッチメントをUVランプに結合すること、及びブレードアタッチメントの少なくとも一部分に導電層を固定することを含む。
【００１３】
少なくとも１つの実施形態では、前記固定することが、ブレードアタッチメントの少なくとも一部分の周りに銅フォイルを巻くことを含む。
【００１４】
少なくとも１つの実施形態では、該方法がまた、機械的拘束デバイスを使用して、ブレードアタッチメントを電気連結器に固定することも含む。
【図面の簡単な説明】
【００１５】
【図１】本開示の一実施形態による、個人によって身に着けられた携帯可能な衛生化システムの斜視図を示す。
【図２】本開示の一実施形態による、棒アセンブリの斜視側方上面図を示す。
【図３】図２の棒アセンブリの斜視後面図を示す。
【図４】図２の棒アセンブリの斜視側面図を示す。
【図５】本開示の一実施形態による、コンパクト展開位置にある携帯可能な衛生化システムの斜視図を示す。
【図６】本開示の一実施形態による、延伸位置にある衛生化先端部を有する携帯可能な衛生化システムの斜視図を示す。
【図７】本開示の一実施形態による、延伸位置にある衛生化先端部及び延伸位置にあるハンドルを有する携帯可能な衛生化システムの斜視図を示す。
【図８】本開示の一実施形態による、ハンドルに対して回転した衛生化先端部を有する携帯可能な衛生化システムの斜視図を示す。
【図９】本開示の一実施形態による、衛生化先端部のUVランプ及び反射体（reflector）の斜視端面図を示す。
【図１０】本開示の一実施形態による、衛生化先端部のUVランプ及び反射体の斜視端面図を示す。
【図１１】本開示の一実施形態による、衛生化先端部のUVランプ及び反射体の斜視端面図を示す。
【図１２】衛生化先端部の斜視上面図を示す。
【図１３】衛生化先端部の斜視下面図を示す。
【図１４】図１２の線１４‐１４に沿った衛生化先端部の軸方向断面図を示す。
【図１５】本開示の一実施形態による、取り付けブラケットに固定されたUVランプの斜視端面図を示す。
【図１６】紫外線光スペクトルを示す。
【図１７】本開示の一実施形態による、UVランプのブレードアタッチメントの端面図を示す。
【図１８】本開示の一実施形態による、UVランプの側面図を示す。
【図１９】本開示の一実施形態による、クランプを有するUVランプのブレードアタッチメントの斜視端面図を示す。
【図２０】本開示の一実施形態による、ブレードアタッチメントの圧縮エリアの周りに巻かれた導電層の周りに固定されたクランプの斜視端面図を示す。
【図２１】本開示の一実施形態による、電気連結器をUVランプの一部分に固定する方法のフローチャートを示す。
【発明を実施するための形態】
【００１６】
上記概要、及び特定の実施形態の以下の詳細な説明は、添付の図面と併せて読むことにより、より深く理解されるだろう。本明細書で使用される「一（a）」又は「１つの（an）」に続く単数形の要素又はステップは、複数の当該要素又はステップを必ずしも除外しないと理解されたい。更に、「一実施形態」への言及は、本明細書に記載の特徴を組み込む追加の実施形態の存在を除外すると解釈すべきでない。更に、そうではないと明示的に述べられていない限り、特定の条件を有する１以上の要素を「含む」又は「有する」実施形態は、その条件を有しない追加の要素を含み得る。
【００１７】
本開示の特定の実施形態は、２２２nmの波長などの遠UV光スペクトル内のUV光を発する紫外線（UV）ランプ（エキシマーランプなど）を含む、衛生化システム及び方法を提供する。それは、人間に対する危険性なしに、微生物（例えば、ウイルス及びバクテリア）を無力化する（殺すなど）。UVランプを内部キャビン内で使用して、汚染を除去し、病原体を殺すことができる。本開示の実施形態は、特定の知られているUVシステムと比較して、より安全且つより効果的な衛生を提供する。UVランプは、携帯可能な衛生化システム又は固定された衛生化システム内で使用され得る。例えば、２２２nmの波長を有する衛生化UV光を発するUVランプを動作させることが、携帯可能なシステム又は固定されたシステムと共に使用され得る。
【００１８】
本開示の特定の実施形態は、２２２nmのエキシマーランプなどの紫外線（UV）ランプに対する電気接続及び接触を維持するための方法を提供する。該方法は、薄い導電層（銅又はアルミニウムなどから形成される）を、電気接続がUVランプと接触する圧縮ポイントに付けることを含む。該方法はまた、テープ又はクランプなどの機械的拘束デバイスを用いて、導電層及び電気接続を圧縮ポイントに圧縮することも含む。テープ及び／又はクランプは、例えば、少なくとも摂氏２００度の温度での構造的及び熱的性能を維持する材料から形成される。
【００１９】
少なくとも１つの実施形態では、該方法が、先ず、導電層を付けて、電気接触のより大きい面積を提供し、熱を広げて、熱ホットスポット（thermal hotspot）を防止する。次に、該方法は、機械的拘束デバイスを付けて、電気ブレードと導電層とを共に固定する。
【００２０】
少なくとも１つの実施形態では、導電層が、ランプ上の湾曲表面に合致することができる薄い材料であり、ランプグリッド（lamp grid）と同様な長さである。テープは、ポリイミド（カプトン）、PEEK、テフロン、又はガラス繊維などの材料から作製されてよく、圧縮ポイントの周りに巻かれて、導電層と電気ブレードとを固定する。クランプは、熱可塑性材料から形成されてよく、Ｃ又はＵ形状を有してよく、更なる挟持力を提供するために開いた端部が共に取り付けられるように開いた側にフックを有する。クランプは、圧縮ポイントに置かれて、導電層と電気ブレードとを機械的に固定する。
【００２１】
少なくとも１つの実施形態では、本開示の実施形態が、高温エキシマーランプ上の導電性接着剤の剥離を防止するために、銅フォイルの付加を提供する。更に、本開示の実施形態を使用して、そのような接続を修理することができる。
【００２２】
図１は、本開示の一実施形態による、個人１０１によって身に着けられた携帯可能な衛生化システム１００の斜視図を示している。携帯可能な衛生化システム１００は、ハーネス１０５を介して個人に着脱可能に固定されたバックパックアセンブリ１０４に結合された棒アセンブリ１０２を含む。棒アセンブリ１０２は、ハンドル１０８に結合された衛生化先端部１０６を含む。少なくとも１つの実施形態では、衛生化先端部１０６が、カプラ１１０を介してハンドル１０８と移動可能に結合される。
【００２３】
図１で示されているように、棒アセンブリ１０２は、収容位置にある。収容位置では、棒アセンブリ１０２が、１以上のトラック、クリップ、ラッチ、ベルト、タイなどを介して、バックパックアセンブリ１０４の一部分に着脱可能に固定される。
【００２４】
図２は、本開示の一実施形態による、棒アセンブリ１０２の斜視側方上面図を示している。衛生化先端部１０６が、カプラ１１０を介してハンドル１０８に結合される。衛生化先端部１０６は、近位端１１６から遠位端１１８に延在する外側カバー１１４を有するシュラウド１１２を含む。本明細書で説明されるように、シュラウド１１２は、２２２nmのエキシマーランプなどのUVランプを内蔵する。
【００２５】
ポート１２０が、近位端１１６から延在する。ポート１２０は、ホース１２２に結合され、それが今度は、バックパックアセンブリ１０４（図１で示されている）に結合される。ホース１２２は、バックパックアセンブリ１０４（図１で示されている）内の電源又は電力供給（１以上のバッテリなど）を、シュラウド１１２内のUVランプ１４０に結合する、電気コード、ケーブル、配線などを内蔵する。任意選択的に、電気コード、ケーブル、配線などは、ホース１２２の外側にあってもよい。ホース１２２はまた、空気チューブなどの空気供給ラインも内蔵する。それは、シュラウド１１２の内部チャンバを、バックパックアセンブリ１０４内の空気ブロア、真空生成器、エアフィルタなどに流体結合する。
【００２６】
カプラ１１０は、近位端１１６の近傍などで、シュラウド１１２の外側カバー１１４に固定される。カプラ１１０は、１以上のファスナや接着剤などを介して外側カバー１１４に固定された固定ビーム１２４を含み得る。延在ビーム１２６が、固定ビーム１２４から外向きに延在し、それによって、ハンドル１０８をシュラウド１１２から引き離す。ベアリングアセンブリ１２８が、固定ビーム１２４とは反対側の延在ビーム１２６から延在する。ベアリングアセンブリ１２８は、１以上のベアリングやトラックなどを含む。それらは、ハンドル１０８が、矢印Ａの方向においてカプラ１１０に対して直線的に平行移動すること、及び／又は円弧Ｂの方向において枢動軸の周りで枢動することを可能にする。任意選択的に、ハンドル１０８がベアリングアセンブリ１２８に結合されている（例えば、ハンドル１０８はカプラ１１０に固定され得る）ことに加え、又はその代わりに、固定ビーム１２４は、衛生化先端部１０６が、矢印Ａの方向において平行移動すること、及び／又は円弧Ｂの方向において回転する（例えば、旋回する）ことを可能にするベアリングアセンブリを含み得る。
【００２７】
少なくとも１つの実施形態では、ハンドル１０８が、ロッド、ポール、ビームなど１３０を含む。それは、シュラウド１１２よりも長くてよい。任意選択的に、ロッド１３０は、シュラウド１１２よりも短くてよい。１以上のグリップ１３２が、ロッド１３０に固定される。グリップ１３２は、個人によって把持され保持されるように構成される。グリップ１３２は、人間工学的な触知性の特徴（tactile feature）１３４を含み得る。
【００２８】
図３は、図２の棒アセンブリ１０２の斜視後面図を示している。図４は、図２の棒アセンブリ１０２の斜視側面図を示している。図３及び図４を参照すると、ハンドル１０８が、ハンドル１０８をカプラ１１０に枢動可能に結合する枢動軸１３８を有するベアリング１３６を介して、カプラ１１０に枢動可能に結合され得る。ハンドル１０８は、ベアリング１３６の中に及び外に直線的に平行移動するように更に構成され得る。例えば、ハンドル１０８は、内に及び外に伸縮するように構成され得る。任意選択的に又は代替的に、少なくとも１つの実施形態では、ハンドル１０８が、ハンドル１０８が外向きに延伸し及び内向きに後退することを可能にする、伸縮式本体を含み得る。
【００２９】
図５は、本開示の一実施形態による、コンパクト展開位置にある携帯可能な衛生化システム１００の斜視図を示している。図５で示されているように、棒アセンブリ１０２は、バックパックアセンブリ１０４（図１で示されているような）から取り外され、コンパクト展開位置にある。ホース１２２が、棒アセンブリ１０２をバックパックアセンブリ１０４に接続する。コンパクト展開位置では、衛生化先端部１０６が、ハンドル１０８に対して完全に後退している。
【００３０】
図６は、本開示の一実施形態による、延伸位置にある衛生化先端部１０６を有する携帯可能な衛生化システム１００の斜視図を示している。ハンドル１０８に対して衛生化先端部１０６を延伸させるために、衛生化先端部１０６は、矢印Ａ’の方向においてハンドル１０８に対して外向きに摺動される（又はハンドル１０８が衛生化先端部１０６に対して後ろ向きに摺動される）。上述されたように、衛生化先端部１０６は、カプラ１１０を介してハンドル１０８に対して矢印Ａ’の方向において直線的に平行移動することができる。図６で示されているように、衛生化先端部１０６の外向きの延伸は、携帯可能な衛生化システム１００が、離れたエリアに容易に到達することを可能にする。代替的に、衛生化先端部１０６は、ハンドル１０８に対して直線的に平行移動しなくてもよい。
【００３１】
図７は、本開示の一実施形態による、延伸位置にある衛生化先端部１０６及び延伸位置にあるハンドルを１０８有する携帯可能な衛生化システム１００の斜視図を示している。更に遠くへ到達するために、ハンドル１０８は、伸縮部分を介するなどして直線的に平行移動し、衛生化先端部１０６が更に外向きに伸びることを可能にするように構成され得る。代替的に、ハンドル１０８は、延伸及び後退するように構成されなくてもよい。
【００３２】
少なくとも１つの実施形態では、ハンドル１０８が、ロック１０９を含んでよい。ロック１０９は、ハンドル１０８を所望の延伸（又は後退）位置で固定するように選択的に操作されるように構成される。
【００３３】
図８は、本開示の一実施形態による、ハンドル１０８に対して回転した衛生化先端部１０６を有する携帯可能な衛生化システム１００の斜視図を示している。上述したように、衛生化先端部１０６は、カプラ１１０を介してハンドル１０８に対して回転するように構成される。ハンドル１０８に対して衛生化先端部１０６を回転させることによって、衛生化先端部１０６が、所望の位置に移動され、衛生化先端部１０６がハンドル１０８に移動不可能に固定されていた場合に、普通であれば到達することが困難であり得るエリアにスイープ又はさもなければ到達することが可能になる。代替的に、衛生化先端部１０６は、ハンドル１０８に対して回転可能でなくてもよい。付録Ａは、棒アセンブリ１０２の種々の位置を示している。
【００３４】
図９は、本開示の一実施形態による、衛生化先端部１０６のUVランプ１４０及び反射体１４２の斜視端面図を示している。UVランプ１４０及び反射体１４２は、衛生化先端部１０６のシュラウド１１２（例えば、図２で示されている）内に固定される。少なくとも１つの実施形態では、反射体１４２が、１以上の接着剤を介するなどして、シュラウド１１２の下側１４１に固定される。別の一実施例として、反射体１４２は、シュラウド１１２の一体化された部分である。例えば、反射体１４２は、シュラウド１１２の下側１４１であってよく、又はさもなければシュラウド１１２の下側１４１を提供し得る。反射体１４２は、反射面１４３（テフロンや鏡面などから形成される）を提供する。反射面１４３は、UVランプ１４０によって発されたUV光を外向きに反射するように構成される。少なくとも１つの実施例では、シュラウド１１２が、ガラス繊維から形成されたシェルであってよく又はそれを含んでよく、反射体１４２は、９８％の反射率を提供するテフロンから形成されてよい。
【００３５】
反射体１４２は、シュラウド１１２の下側１４１の全長に沿って延在し得る。任意選択的に、反射体１４２は、シュラウド１１２の下側１４１の全長未満に沿って延在し得る。
【００３６】
UVランプ１４０は、全長に沿って（又は端部１１６と１１８との間などの全長に実質的に沿って）延在し得る。例えば、UVランプ１４０は、１以上のブラケットを介して、反射体１４２及び／又はシュラウド１１２に固定される。UVランプ１４０は、１以上のバルブや発光素子（発光ダイオードなど）のような１以上のUV光発光体を含む。少なくとも１つの実施形態では、UVランプ１４０が、２００nmと２３０nmとの間の波長などの遠UVスペクトル内のUV光を発するように構成される。少なくとも１つの実施形態では、UVランプ１４０が、２２２nmの波長を有するUV光を発するように構成される。例えば、UVランプ１４０は、２２２nmの波長を有するUV光を発するように構成された３００Wのバルブであってよく又はそれを含んでよい。
【００３７】
図示されているように、反射体１４２は、上側湾曲壁１４６を介して共に接続された平坦な直立側壁１４４を含む。上側湾曲壁１４６は、UVランプ１４０から外向きに離れるように湾曲し得る。例えば、上側湾曲壁１４６は、放物線の断面及び／又は輪郭を有し得る。
【００３８】
直線的で線形な側壁１４４は、UVランプ１４０から所望の位置に向けて且つ所望の位置の上に発されたUV光の所望の反射及び／又は集中を提供することが分かっている。代替的に、側壁１４４は、直線的且つ平坦でなくてもよい。
【００３９】
図１０は、本開示の一実施形態による、衛生化先端部のUVランプ１４０及び反射体１４２の斜視端面図を示している。図１０で示されている反射体１４２は、側壁１４４が上側湾曲壁１４６から外向きに傾斜が付けられ得る点を除いて、図９で示されている反射体１４２と同様である。
【００４０】
図１１は、本開示の一実施形態による、衛生化先端部のUVランプ１４０及び反射体１４２の斜視端面図を示している。この実施形態では、側壁１４４が、上側湾曲壁１４６の曲率に従って湾曲していてよい。
【００４１】
図１２は、衛生化先端部１０６の斜視上面図を示している。図１３は、衛生化先端部１０６の斜視下面図を示している。図１４は、図１２の線１４‐１４に沿った衛生化先端部１０６の軸方向断面図を示している。図１２〜図１４を参照すると、空気１５０が、シュラウド１１２の１以上の開口部１５２（又は単に開いたチャンバ）を介して、衛生化先端部１０６の中に引き込まれるように構成されている。空気１５０は、バックパックアセンブリ１０４（図１で示されている）内の真空生成器を介するなどして、衛生化先端部１０６の中に引き込まれる。空気１５０は、シュラウド１１２の中に引き込まれ、UVランプ１４０にわたり且つその周りを通過するときに、UVランプ１４０を冷却する。空気１５０は、ポート１２０の中に及びホース１２２（ホース１２２内の空気管など）の中に入る。空気１５０は、UVランプ１４０を冷却するのみならず、オゾンを除去する。オゾンは、シュラウド１１２内のUVランプ１４０の動作によって生成され得る。空気１５０は、バックパックアセンブリ１０４内のエアフィルタ（起動された炭素フィルタなど）に引き込まれ得る。
【００４２】
少なくとも１つの実施形態では、携帯可能な衛生化システム１００がまた、代替的なオゾン緩和システムも含み得る。一実施例として、オゾン緩和システムは、シュラウド１１２内又はシステムの別の一部分内に配置されてよく、米国特許第10,232,954号などにおける、不活性ガス浴又はフェイス不活性ガスシステム（face inert gas system）を含んでよい。
【００４３】
図１３を参照すると、特に、バンパー１５３が、シュラウド１１２の露出された下側周縁部１５５に固定され得る。バンパー１５３は、ゴム、別のエラストマー材料、オープン又はクローズセルフォームなどの、弾性材料から形成されてよい。バンパー１５３は、衛生化先端部１０６が不注意で表面に接触する場合に、衛生化先端部１０６を損傷から保護する。バンパー１５３はまた、表面も損傷から保護する。
【００４４】
開口部１５２は、それらがUVランプ１４０の直接の視認を提供しないように、シュラウド１１２の下側表面の周りで間隔を空けられ得る。例えば、開口部１５２は、UVランプ１４０から間隔を空けられた部分の下方に配置され得る。
【００４５】
図１４を参照すると、特に、衛生化先端部１０６が、UVランプ１４０の下方にカバープレート１５４を含み得る。例えば、カバープレート１５４は、ガラスから形成されてよく、UVランプ１４０によって発されたUV光をフィルタするように構成されてよい。UVランプ１４０は、反射体１４２とカバープレート１５４との間で画定された内部チャンバ１５６内に固定されてよい。少なくとも１つの実施形態では、カバープレート１５４が、遠UV帯域通過フィルタであり、又はさもなければそれを含む。例えば、カバープレート１５４は、UVランプ１４０によって発されたUV光を２２２nmの波長にフィルタする、２２２nm帯域通過フィルタであってよい。したがって、衛生化先端部１０６から発されるUV光は、２２２nmの波長で発されてよい。
【００４６】
図１３及び図１４を参照すると、縁１５７（０．０２０インチの厚さなどのチタンの縁）が、カバープレート１５４をシュラウド１１２に接続し得る。縁１５７は、縁１５７を通る及び／又は縁１５７の周りの衝撃荷重を分散させ得る。
【００４７】
少なくとも１つの実施形態では、測距発光ダイオード（LED）１５９が、UVランプ１４０の端部の近傍に配置され得る。測距LED１５９を使用して、例えば、衛生化される構造物までの所望の距離を特定することができる。少なくとも１つの実施形態では、測距LED１５９が、縁１５７及び／又はカバープレート１５４上又はそれらの範囲内に配置されてよい。
【００４８】
図１５は、本開示の一実施形態による、取り付けブラケット又はクランプ１６０に固定されたUVランプ１４０の斜視端面図を示している。UVランプ１４０の各端部は、取り付けブラケット又はクランプ１６０に結合され得る。それらは、UVランプ１４０をシュラウド１１２（図１２〜図１４で示されている）に固定する。シリコンの薄い（例えば、０．０４０インチ）シートなどのバッファが、UVランプ１４０とブラケット１６０との間に配置されてよい。任意選択的に、UVランプ１４０は、図示されているものとは異なるサイズ及び形状のブラケット又はクランプを介してシュラウド１１２に固定されてよい。別の一実施例として、UVランプ１４０は、接着剤やファスナなどを介してシュラウド１１２に固定されてよい。
【００４９】
図１６は、紫外線光スペクトルを示している。図１〜図１６を参照すると、衛生化先端部１０６が、２００nmから２３０nmの間などの遠UVスペクトル内の衛生化UV光を発する（UVランプ１４０の動作を介して）ように構成される。少なくとも１つの実施形態では、衛生化先端部１０６が、２２２nmの波長を有する衛生化UV光を発する。
【００５０】
２２２nmの波長を有する衛生化UV光は、病原体（ウイルス及びバクテリアなど）を不活性化する代わりに、病原体を殺すことが分かっている。対照的に、２５４nmの波長のUVC光は、DNAと相互作用することによって病原体を不活性化し、一時的な不活性をもたらすが、その病原体を殺さないかもしれない。代わりに、病原体は、通常の白色光に曝露されることによって、１時間当たり約１０％の再活性率で再活性化され得る。したがって、２５４nmの波長のUVC光は、輸送体の内部キャビン内などの照明されているエリア内で無効であり得る。更に、２５４nmのUVC光は、人間への曝露が推奨されない。というのも、それは、人間の細胞を貫通することができるからである。
【００５１】
対照的に、２２２nmの波長を有する衛生化UV光は、人間への曝露が安全であり、病原体を殺す。更に、２２２nmの波長を有する衛生化UV光は、起動されてから１ミリ秒以下の範囲内でUVランプ１４０の全出力で発され得る（対照的に、２５４nmの波長を有するUVCは、全出力に到達するまでに数秒又は数分必要とし得る）。
【００５２】
本開示の実施形態は、２２２nmのUVランプなどのUVランプに対する信頼できる電気接続を維持するためのシステム及び方法を提供する。任意選択的に、UVランプは、２００nm又は２３０nmなどの種々の波長で動作されてよい。少なくとも１つの他の実施形態では、UVランプが、UV‐Cスペクトルの範囲内で動作されてよい。
【００５３】
少なくとも１つの実施形態では、UVランプが、図１〜図１５に関連して示され且つ説明された携帯可能な衛生化システム内のUVランプ１４０である。任意選択的に、本開示の実施形態は、固定された衛生化システムと共に使用され得る。例えば、本開示の実施形態は、天井、壁、床などに固定されたUVランプなどの、構造物内で固定されたUVランプと共に使用され得る。
【００５４】
図１７は、本開示の一実施形態による、UVランプ１４０のブレードアタッチメント２００の端面図を示している。UVランプ１４０は、図１〜図１５に関連して示され且つ説明されたものなどの携帯可能な衛生化システム、又は固定された衛生化システムの部品であってよい。
【００５５】
少なくとも１つの実施形態では、ブレードアタッチメント２００が、UVランプ１４０の端部２０２における電気ブレードである。例えば、ブレードアタッチメント２００は、電気ブレード、ワイヤ、連結器などのうちの１以上を介するなどして、電源と電気接続されるように構成される。ブレードアタッチメント２００は、UVランプ１４０の長さに沿って延在し得る。例えば、ブレードアタッチメント２００は、UVランプ１４０の長さの少なくとも一部分に沿って延在する、かご構造を提供し得る。
【００５６】
ブレードアタッチメント２００は、複数の側方線形ワイヤ２０８と交差する、複数の長手線形ワイヤ２０６を含む、メッシュ又はスクリーン２０４を含む。例えば、長手線形ワイヤ２０６は、側方線形ワイヤ２０８と直交し、それによって、複数の格子部材２１０を形成する。このやり方では、長手線形ワイヤ２０６と側方線形ワイヤ２０８とが、格子線を提供し得る。長手線形ワイヤ２０６と側方線形ワイヤ２０８とは、例えば、金属から形成されてよい。
【００５７】
少なくとも１つの実施形態では、テープ２１２が、UVランプ１４０の端部２０２の周りに巻かれる。テープ２１２は、ブレードアタッチメント２００の端部の少なくとも一部分の周りで延在し得る。テープ２１２は、ポリイミド（カプトン）、PEEK、テフロン、又はガラス繊維などの材料から作製され得る。テープ２１２を、圧縮エリアの周りに巻いて、導電層とブレードアタッチメント２００とを固定することができる。
【００５８】
フォイル２１４が、圧縮エリア２１６でブレードアタッチメント２００の周りに固定される。フォイル２１４の少なくとも一部分は、テープ２１２から内側（inboard）にあってよい。すなわち、フォイル２１４は、テープ２１２とブレードアタッチメント２００の中央との間にあってよい。任意選択的に、テープ２１２は、フォイル２１４の全体の周りに巻かれてよく、それによって、フォイル２１４をブレードアタッチメント２００の中に圧縮する。フォイル２１４は、電気接触のより大きい面積を提供し（例えば、電気ブレードなどの電気連結器に対して）、それにわたり熱を広げ、熱ホットスポットを防止する。
【００５９】
フォイル２１４は、ブレードアタッチメント２００の少なくとも一部分の周りに巻かれる。少なくとも一実施形態では、テープ２１２が、フォイル２１４（導電層を提供する）の少なくとも一部分の周りに巻かれて、フォイル２１４をブレードアタッチメント２００に対して圧縮する。すなわち、巻かれたテープ２１２は、フォイル２１４をブレードアタッチメント２００の中に圧縮する。
【００６０】
少なくとも１つの他の実施形態では、フォイル２１４がテープ２１２と接触しない。例えば、テープ２１２が、フォイル２１４の周りに巻かれなくてよい。任意選択的に、テープ２１２は、使用されなくてよい。代わりに、クランプを使用して、フォイル２１４をブレードアタッチメント２００に対して圧縮することができる。少なくとも１つの他の実施形態では、テープ２１２とクランプとの両方を使用して、フォイル２１４をブレードアタッチメント２００に対して圧縮することができる。
【００６１】
少なくとも１つの実施形態では、フォイル２１４が銅から形成される。別の一実施例として、フォイル２１４は、アルミニウムから形成される。フォイル２１４は、ブレードアタッチメント２００の少なくとも一部分の周りに巻かれる薄い導電層を提供する。一実施例として、フォイル２１４は、５ミリメートル以下の厚さを有し得る。
【００６２】
図１８は、本開示の一実施形態による、UVランプ１４０の側面図を示している。UVランプ１４０は、端部２０２と端部２０３との間で延在するブレードアタッチメント２００を含む（又はさもなければそれに結合される）。圧縮エリア２１６が、端部２０２と２０３とに又はそれらの近傍に位置付けられる。図１７及び図１８を参照すると、導電層を提供するフォイル２１４（すなわち、フォイル２１４が導電層である）は、先ず、ブレードアタッチメント２００の少なくとも一部分に固定される。フォイル２１４が圧縮エリア２１６でブレードアタッチメント２００に固定された後で、クランプ２２０が、フォイル２１４に固定され、それによって、挟持力を圧縮エリア２１６のフォイル２１４に加える。
【００６３】
少なくとも１つの実施形態では、クランプ２２０がプラスチックから形成される。例えば、クランプは、熱可塑性材料から形成されてよく、Ｃ又はＵ形状を有してよく、更なる挟持力を提供するために開いた端部が共に取り付けられるように開いた側にフックを有する。
【００６４】
図１９は、本開示の一実施形態による、クランプ２２０を有するUVランプ１４０のブレードアタッチメント２００の斜視端面図を示している。
【００６５】
クランプ２２０は、垂直な延在ビーム２２６によって第２のアーム２２４から間隔を空けられた第１のアーム２２２を含む。挟持チャネル２２８が、第１のアーム２２２、第２のアーム２２４、及び延在ビーム２２６の間で画定される。挟持チャネル２２８の中に導かれている開口部２３０は、それぞれ、第１のアーム２２２及び第２のアーム２２４の自由端２３２と２３４との間で画定される。したがって、クランプ２２０は、Ｃ又はＵ形状を有する。
【００６６】
フォイル２１４（図１６で示されている）が、ブレードアタッチメント２００の圧縮エリア２１６の周りに巻かれた後で、クランプ２２０は、矢印２４０の方向において圧縮エリア２１６を覆って移動する。それによって、ブレードアタッチメント２００の圧縮エリア２１６は、第１のアーム２２２と第２のアーム２２４との間で挟持される。少なくとも１つの実施形態では、第１のアーム２２２及び／又は第２のアーム２２４が、ネジやボルトなどのファスナを受け入れるための通路２４６を含む、突出部などのファスナ連結器２４４を含む。ファスナは、通路２４６内に固定され、圧縮エリア２１６をはみだした反対側の第１又は第２のアーム２２２又は２２４に接続される。次いで、ファスナは締められ、それによって、第１のアーム２２２と第２のアーム２２４とが互いに向けて促され、それは、クランプ２２０の挟持力を高める。
【００６７】
少なくとも１つの実施形態では、フォイル２１４が、クランプ２２０の一部分に付けられ得る。例えば、アーム２２２又は２２４の内面に固定されたテープ２２３が、フォイル２１４を含み得る。一実施例として、テープ２２３は、ブレードアタッチメント２００及び／又はクランプ２２０の内側部分にわたり付けられた１インチ×０．５インチの銅テープであってよい。
【００６８】
クランプ２２０は、圧縮エリア２１６上に置かれる。クランプ２２０は、導電層（例えば、フォイル２１４）を、電気ブレード（例えば、ブレードアタッチメント２００）の少なくとも一部分に機械的に固定する。
【００６９】
図２０は、本開示の一実施形態による、ブレードアタッチメント２００の圧縮エリア２１６の周りに巻かれた導電層（すなわち、フォイル２１４）の周りに固定されたクランプ２２０の斜視端面図を示している。この実施形態では、固定するアーム２５０が、第１のアーム２２２又は第２のアーム２２４の一方又は他方から、延在ビーム２２６とは反対側で延在し得る。固定するアーム２５０は、第１のアーム２２２を第２のアーム２２４に選択的にロック及びロック解除してよく、それによって、クランプ２２０が均一で一貫した挟持力を加えることを確実にする。ファスナは、固定するアーム２５０を適所に固定するために使用されてよく又は使用されなくてよい。少なくとも一実施形態では、固定するアーム２５０が、個別のファスナの使用を伴い又は伴わず、適所にラッチ又はスナップする。
【００７０】
図１７〜図２０を参照すると、本開示の特定の実施形態は、２２２nmのエキシマーランプなどのUVランプ１４０への電気接続及び接触を維持するための方法を提供する。該方法は、導電層（フォイル２１４など）を圧縮エリア２１６に付けることを含む。圧縮エリア２１６では、電気連結器２６０（電気ブレードなど）が、UVランプ１４０に接触する。該方法はまた、テープ２１２及び／又はクランプ２２０などの機械的拘束デバイスを用いて、導電層及び電気接続２６０を圧縮エリア２１６に圧縮することも含む。テープ２１２及び／又はクランプ２２０は、例えば、少なくとも摂氏２００度の温度での構造的及び熱的性能を維持する材料から形成される。少なくとも１つの実施形態では、テープ２１２が、クランプ２２０なしにフォイル２１４に対して使用される。少なくとも１つの他の実施形態では、テープ２１２とクランプ２２０との両方が、フォイル２１４に対して使用される。少なくとも１つの他の実施形態では、クランプ２２０が、テープ２１２なしにフォイル２１４に対して使用される。
【００７１】
本開示の特定の実施形態は、UVランプ１４０を電気連結器２６０に接続するためのシステム２０１を提供する。システム２０１は、UVランプ１４０に結合されたブレードアタッチメント２００を含む。例えば、UVランプ１４０は、ブレードアタッチメント２００を含み得る。任意選択的に、ブレードアタッチメント２００は、UVランプ１４０に個別に結合され得る。導電層（フォイル２１４など）が、ブレードアタッチメント２００の少なくとも一部分（端部分など）に固定される。少なくとも１つの実施形態では、導電層が、ブレードアタッチメント２００の少なくとも一部分の周りに巻かれたフォイル２１４を含む。
【００７２】
少なくとも１つの実施形態では、システム２０１がまた、ブレードアタッチメント２００を電気連結器２６０に固定するように構成された機械的拘束デバイスも含む。例えば、機械的拘束デバイスは、ブレードアタッチメント２００の一部分又は導電層の少なくとも一部分のうちの一方又は両方の周りに巻かれたテープ２１２を含む。別の一実施例として、機械的拘束デバイスは、ブレードアタッチメント２００の一部分又は導電層の少なくとも一部分のうちの一方又は両方の周りに固定されたクランプ２２０を含む。別の一実施例として、機械的拘束デバイスは、ブレードアタッチメント２００の一部分又は導電層の少なくとも一部分のうちの一方又は両方の周りに巻かれたテープ２１２、及び、ブレードアタッチメント２００の一部分又は導電層の少なくとも一部分のうちの一方又は両方の周りに固定されたクランプ２２０を含む。
【００７３】
図２１は、本開示の一実施形態による、電気連結器２６０（電源に接続された１以上の電気ブレード、１以上の電気ワイヤ、付属品など）を、UVランプの一部分に固定する方法のフローチャートを示している。UVランプは、ブレードアタッチメント２００を含んでよく、ブレードアタッチメント２００は、UVランプに個別に結合されてよい。
【００７４】
少なくとも１つの実施形態では、該方法が、３００で、導電層（フォイル２１４など）をブレードアタッチメント（ブレードアタッチメント２００など）の少なくとも一部分に付けて、電気接触のより大きい面積を提供し、熱を広げて、熱ホットスポットを防止する。次に、少なくとも１つの実施形態では、該方法が、３０２で、機械的拘束デバイス（テープ２１２及び／又はクランプ２２０など）を付けて、電気ブレードと導電層とを共に固定する。機械的拘束デバイスは、導電層の少なくとも一部分の周りに付けられてよい。
【００７５】
本明細書で説明されるように、本開示の実施形態は、UVランプと電気連結器との間の信頼できる接続を維持するためのシステム及び方法を提供する。
【００７６】
更に、本開示は下記の条項に係る実施例を含む。
条項１．
紫外線（UV）ランプ（１４０）を電気連結器（２６０）に接続するためのシステムであって、
前記UVランプ（１４０）に結合されたブレードアタッチメント（２００）、及び
前記ブレードアタッチメント（２００）の少なくとも一部分に固定された導電層（２１４）を備える、システム。
条項２．
前記導電層（２１４）は、前記ブレードアタッチメント（２００）の前記少なくとも一部分の周りに巻かれたフォイル（２１４）を含む、条項１に記載のシステム。
条項３．
前記ブレードアタッチメント（２００）を前記電気連結器（２６０）に固定するように構成された機械的拘束デバイスを更に備える、条項１又は２に記載のシステム。
条項４．
前記機械的拘束デバイスは、前記ブレードアタッチメント（２００）の前記一部分又は前記導電層（２１４）の少なくとも一部分のうちの一方又は両方の周りに巻かれたテープ（２１２）を含む、条項３に記載のシステム。
条項５．
前記機械的拘束デバイスは、前記ブレードアタッチメント（２００）の前記一部分又は前記導電層（２１４）の少なくとも一部分のうちの一方又は両方の周りに固定されたクランプ（２１２）を含む、条項３又は４に記載のシステム。
条項６．
前記クランプ（２１２）は、プラスチックから形成される、条項５に記載のシステム。
条項７．
前記機械的拘束デバイスは、
前記ブレードアタッチメント（２００）の前記一部分又は前記導電層（２１４）の少なくとも一部分のうちの一方又は両方の周りに巻かれたテープ（２１２）、及び
前記ブレードアタッチメント（２００）の前記一部分又は前記導電層（２１４）の少なくとも一部分のうちの一方又は両方の周りに固定されたクランプ（２１２）を含む、条項３から５のいずれか一項に記載のシステム。
条項８．
前記導電層（２１４）は、銅から形成される、条項１から７のいずれか一項に記載のシステム。
条項９．
前記UVランプ（１４０）は、２２２nmの波長を有する衛生化UV光を発するように構成される、条項１から８のいずれか一項に記載のシステム。
条項１０．
前記UVランプ（１４０）を含む、携帯可能な衛生化システムを更に備える、条項１から９のいずれか一項に記載のシステム。
条項１１．
紫外線（UV）ランプを電気連結器（２６０）に接続するための方法であって、
ブレードアタッチメント（２００）を前記UVランプ（１４０）に結合すること、及び
導電層（２１４）を前記ブレードアタッチメント（２００）の少なくとも一部分に固定することを含む、方法。
条項１２．
前記固定することが、前記ブレードアタッチメント（２００）の前記少なくとも一部分の周りに銅フォイル（２１４）を巻くことを含む、条項１１に記載の方法。
条項１３．
前記ブレードアタッチメント（２００）を前記電気連結器（２６０）に固定するために、機械的拘束デバイスを使用することを更に含む、条項１１又は１２に記載の方法。
条項１４．
前記機械的拘束デバイスは、前記ブレードアタッチメント（２００）の前記一部分又は前記導電層（２１４）の少なくとも一部分のうちの一方又は両方の周りに巻かれたテープ（２１２）を含む、条項１３に記載の方法。
条項１５．
前記機械的拘束デバイスは、前記ブレードアタッチメント（２００）の前記一部分又は前記導電層（２１４）の少なくとも一部分のうちの一方又は両方の周りに固定されたクランプ（２１２）を含む、条項１３又は１４に記載の方法。
条項１６．
前記機械的拘束デバイスは、
前記ブレードアタッチメント（２００）の前記一部分又は前記導電層（２１４）の少なくとも一部分のうちの一方又は両方の周りに巻かれたテープ（２１２）、及び
前記ブレードアタッチメント（２００）の前記一部分又は前記導電層（２１４）の少なくとも一部分のうちの一方又は両方の周りに固定されたクランプ（２１２）を含む、条項１３から１５のいずれか一項に記載の方法。
条項１７．
前記UVランプ（１４０）は、２２２nmの波長を有する衛生化UV光を発するように構成される、条項１１から１６のいずれか一項に記載の方法。
条項１８．
前記UVランプ（１４０）を含む、携帯可能な衛生化システムを更に備える、条項１１から１７のいずれか一項に記載の方法。
条項１９．
紫外線（UV）ランプを電気連結器（２６０）に接続するためのシステムであって、
前記UVランプ（１４０）に結合されたブレードアタッチメント（２００）、
前記ブレードアタッチメント（２００）の少なくとも一部分に固定された導電層（２１４）であって、前記ブレードアタッチメント（２００）の前記少なくとも一部分の周りに巻かれた銅フォイル（２１４）を含む、導電層（２１４）、及び
前記ブレードアタッチメント（２００）を前記電気連結器（２６０）に固定するように構成された機械的拘束デバイスを備える、システム。
条項２０．
前記機械的拘束デバイスは、
前記ブレードアタッチメント（２００）の前記一部分又は前記導電層（２１４）の少なくとも一部分のうちの一方又は両方の周りに巻かれたテープ（２１２）、或いは
前記ブレードアタッチメント（２００）の前記一部分又は前記導電層（２１４）の少なくとも一部分のうちの一方又は両方の周りに固定されたクランプ（２１２）のうちの一方或いは両方を含む、条項１９に記載のシステム。
【００７７】
本開示の実施形態の説明のために、上部、底部、下方、中央、横方向、水平、垂直、前向きなどの空間及び方向に関する様々な語が用いられる場合があるが、そのような語は図面で示す方向に対するものとして用いられているにすぎないことを理解されたい。向きを、反転させる、回転させる、又はそうでなければ、上部が下部に、また下部が上部になるように、また水平が垂直になる等のように変化させることができる。
【００７８】
本明細書で使用する、タスク又は動作を実施する「ように構成される」構造物、限定事項、又は要素は、特にタスク又は動作に対応するように、構造物的に形成、構成、又は適合されている。明確さのため、及び誤解を避けるために、タスク又は動作を実施するために変更可能であるに過ぎない対象物は、本明細書で使用するタスク又は動作を実施する「ように構成」されてはいない。
【００７９】
上記の説明は、限定ではなく、例示を意図するものであることを理解するべきである。例えば、上述した実施形態（及び／又はそれらの態様）は、互いに組み合わせて使用され得る。加えて、様々な実施形態の教示には、その範囲から偏差することなく、特定の状況又は材料に適応させるために多数の改変が加えられ得る。本明細書に記載の材料の形状寸法及びタイプは、本開示の様々な実施形態のパラメータを規定することを意図しているが、これらの実施形態は限定的なものではなく例示的な実施形態である。本発明を精査することにより、当業者には他の多くの実施形態が明らかであろう。本開示の様々な実施形態の範囲は、添付の特許請求の範囲、並びに、かかる特許請求の範囲が認められる均等物の全範囲を参照して決定されるべきである。添付の特許請求の範囲において、「含む（including）」及び「そこにおいて（in which）」という語は、それぞれ、「備える（comprising）」及び「そこで（wherein）」という語のプレインイングリッシュ（plain-English）の同義語として使用される。また、「第１」「第２」及び「第３」等の語は単に符号として使用され、それらの対象物に数的要件を課すことを意図するものではない。更に、以下の特許請求の範囲の限定は、ミーンズ・プラス・ファンクション形式で記述されておらず、かかる特許請求の範囲の限定が、更なる構造物を欠く機能の記述が後続する、「〜のための手段（means for）」という言い回しを明示的に使用しない限り、米国特許法第１１２条（ｆ）に基づいて解釈されることを意図するものではない。
【００８０】
ここに記載した説明では、ベストモードを含む本開示の様々な実施形態を開示し、且つ当業者が任意のデバイス又はシステムの作成及び使用、並びに組込まれた任意の方法の実行を含め、本開示の様々な実施形態を実施することを可能にするために実施例を使用している。本開示の様々な実施形態の特許性の範囲は、特許請求の範囲によって規定され、当業者が想起する他の実施例を含み得る。かかる他の実施例は、実施例が特許請求の範囲の文言と相違しない構造物要素を有する場合、又は、実施例が、特許請求の範囲の文言とごくわずかな相違しかない同等の構造物要素を含む場合、特許請求の範囲内であることが意図される。
【図１】
2022001249.tif 000002
【図２】
2022001249.tif 000003
【図３】
2022001249.tif 000004
【図４】
2022001249.tif 000005
【図５】
2022001249.tif 000006
【図６】
2022001249.tif 000007
【図７】
2022001249.tif 000008
【図８】
2022001249.tif 000009
【図９】
2022001249.tif 000010
【図１０】
2022001249.tif 000011
【図１１】
2022001249.tif 000012
【図１２】
2022001249.tif 000013
【図１３】
2022001249.tif 000014
【図１４】
2022001249.tif 000015
【図１５】
2022001249.tif 000016
【図１６】
2022001249.tif 000017
【図１７】
2022001249.tif 000018
【図１８】
2022001249.tif 000019
【図１９】
2022001249.tif 000020
【図２０】
2022001249.tif 000021
【図２１】
2022001249.tif 000022
【外国語明細書】
2022001249000001.pdf
2022001249000002.pdf
2022001249000003.pdf
2022001249000004.pdf